(57)【特許請求の範囲】
【請求項１】
記録媒体の媒体種別および記録フォーマットを識別し、対応する記録方法および再生方法で前記記録媒体への情報の記録および前記記録媒体からの情報の再生を行う情報記録再生装置であって、
前記記録媒体への情報の書き込みおよび前記記録媒体からの情報の読み出しを行い、電源投入時や前記記録媒体の装着時に装着された前記記録媒体の媒体種別および記録フォーマットの識別を行う媒体アクセス手段と、
該媒体アクセス手段によって識別された前記記録媒体の媒体種別および記録フォーマットをディスク情報として記憶するディスク情報記憶手段と、
当該ディスク情報記憶手段に記憶された前記ディスク情報に基づいて、前記媒体アクセス手段を制御することで前記記録媒体への情報の記録および前記記録媒体からの情報の再生を行うシステムコントローラと、
前記記録媒体への情報の記録を指示する記録キー、前記記録媒体からの情報の再生を指示する再生キーおよび電源の切断を指示する電源切断キーを備えた操作手段とを具備し、
前記システムコントローラは、前記記録媒体への情報の記録および前記記録媒体からの情報の再生が可能な記録再生可能状態で前記電源切断キーが押下されると、前記ディスク情報記憶手段に前記ディスク情報が記憶された状態で、前記媒体アクセス手段の電源を切断する第１の電源切断状態に移行させると共に、前記第１の電源切断状態で前記記録キーもしくは前記再生キーが押下されると、前記記録媒体の媒体種別および記録フォーマットの識別を改めて行うことなく、前記ディスク情報記憶手段に記憶された前記ディスク情報を用いて、前記記録再生可能状態に移行させることを特徴とする情報記録再生装置。
【請求項２】
前記システムコントローラは、前記第１の電源切断状態で前記電源切断キーが押下されると、前記ディスク情報記憶手段の電源を切断すると共に、自身をスリープモードにする第２の電源切断状態に移行させることを特徴とする請求項１記載の情報記録再生装置。
【請求項３】
前記第１の電源切断状態に移行した後、前記記録キー、前記再生キーおよび前記電源切断キーが押下されることなく予め定められた所定時間が経過した場合には、前記システムコントローラは、前記ディスク情報記憶手段の電源を切断すると共に、自身をスリープモードにする第２の電源切断状態に移行させることを特徴とする請求項１又は２記載の情報記録再生装置。
【請求項４】
前記第１の電源切断状態から前記第２の電源切断状態に移行させるまでの時間が表示される表示手段を具備することを特徴とする請求項４記載の情報記録再生装置。
【請求項５】
記録媒体の媒体種別および記録フォーマットを識別し、対応する記録方法および再生方法で前記記録媒体への情報の記録および前記記録媒体からの情報の再生を行う情報記録再生方法であって、
電源投入時や前記記録媒体の装着時に装着された前記記録媒体の媒体種別および記録フォーマットの識別を行い、
識別した前記記録媒体の媒体種別および記録フォーマットをディスク情報として記憶しておき、
記憶した前記ディスク情報に基づいて、前記記録媒体への情報の記録および前記記録媒体からの情報の再生を行い、
前記記録媒体への情報の記録および前記記録媒体からの情報の再生が可能な記録再生可能状態で電源の切断の指示が行われると、前記ディスク情報を記憶した状態で、前記記録媒体への情報の書き込みおよび前記記録媒体からの情報の読み出しを行う媒体アクセス手段の電源を切断する第１の電源切断状態に移行させると共に、前記第１の電源切断状態で前記記録媒体への情報の記録もしくは前記記録媒体からの情報の再生が指示されると、前記記録媒体の媒体種別および記録フォーマットの識別を改めて行うことなく、前記記憶した前記ディスク情報を用いて、前記記録再生可能状態に移行することを特徴とする情報記録再生方法。
【発明の詳細な説明】
【技術分野】
【０００１】
本発明は、情報記録再生装置および情報記録再生方法に関し、特に音声データ等の情報データをディジタル記録しているミニディスク等の記録媒体より情報データを読み出して再生を行う情報記録再生装置および情報記録再生方法に関する。
【背景技術】
【０００２】
近年、高密度記録等による記録容量の拡大への要求に伴って、各種記録媒体や各種記録フォーマットが開発され、略同一形状であるが記録媒体自体や記録フォーマットが異なるものが混在している。例えばミニディスク（ＭＤ）の場合には、記録再生用ディスク、再生専用ディスク、ＭＤデータ、Ｈｉ−ＭＤ等が混在している。
【０００３】
これらの記録媒体に記録された情報を再生する情報記録再生装置においては、混在する記録媒体および記録フォーマットに対応することが求められるため、電源投入時や記録媒体挿入時に装着されている記録媒体の媒体種別および記録フォーマットを識別し、装着されている媒体種別および記録フォーマットに対応する記録方法および再生方法で情報の記録および再生を行っている（例えば、特許文献１参照）。
【０００４】
しかしながら、従来技術では、対応する記録媒体および記録フォーマットの種類が多くなればなるほど、装着された記録媒体を識別し、ＴＯＣ（Table Of Contents）等のディスク情報を読み取るための時間が長くなり、電源投入後に情報の記録および再生が可能な状態になるまでの時間が長くなってしまうという問題点があった。
【特許文献１】特開２００４−２５３１１９号公報
【発明の開示】
【発明が解決しようとする課題】
【０００５】
本発明は斯かる問題点に鑑みてなされたものであり、その目的とするところは、電源切断後、所定時間以内にならば、装着されている記録媒体の識別およびディスク情報の読み取りを行うことなく、電源投入後に情報の記録および再生が可能な状態になるまでの時間を短縮することができる情報記録再生装置および情報記録再生方法を提供する点にある。
【課題を解決するための手段】
【０００６】
本発明は上記課題を解決すべく、以下に掲げる構成とした。
本発明の情報記録再生装置は、記録媒体の媒体種別および記録フォーマットを識別し、対応する記録方法および再生方法で前記記録媒体への情報の記録および前記記録媒体からの情報の再生を行う情報記録再生装置であって、前記記録媒体への情報の書き込みおよび前記記録媒体からの情報の読み出しを行い、電源投入時や前記記録媒体の装着時に装着された前記記録媒体の媒体種別および記録フォーマットの識別を行う媒体アクセス手段と、該媒体アクセス手段によって識別された前記記録媒体の媒体種別および記録フォーマットがディスク情報として記憶されるディスク情報記憶手段と、当該ディスク情報記憶手段に記憶された前記ディスク情報に基づいて、前記媒体アクセス手段を制御することで前記記録媒体への情報の記録および前記記録媒体からの情報の再生を行うシステムコントローラと、前記記録媒体への情報の記録を指示する記録キー、前記記録媒体からの情報の再生を指示する再生キーおよび電源の切断を指示する電源切断キーを備えた操作手段とを具備し、前記システムコントローラは、前記記録媒体への情報の記録および前記記録媒体からの情報の再生が可能な記録再生可能状態で前記電源切断キーが押下されると、前記ディスク情報記憶手段に前記ディスク情報が記憶された状態で、前記媒体アクセス手段の電源を切断する第１の電源切断状態に移行させると共に、前記第１の電源切断状態で前記記録キーもしくは前記再生キーが押下されると、前記記録媒体の媒体種別および記録フォーマットの識別を改めて行うことなく、前記ディスク情報記憶手段に記憶された前記ディスク情報を用いて、前記記録再生可能状態に移行させることを特徴とする。
【０００７】
さらに、本発明の情報記録再生装置は、前記システムコントローラは、前記第１の電源切断状態で前記電源切断キーが押下されると、前記ディスク情報記憶手段の電源を切断すると共に、自身をスリープモードにする第２の電源切断状態に移行させることを特徴とする。
【０００８】
さらに、本発明の情報記録再生装置は、前記第１の電源切断状態に移行した後、前記記録キー、前記再生キーおよび前記電源切断キーが押下されることなく予め定められた所定時間が経過した場合には、前記システムコントローラは、前記ディスク情報記憶手段の電源を切断すると共に、自身をスリープモードにする第２の電源切断状態に移行させることを特徴とする。
【０００９】
さらに、本発明の情報記録再生装置は、前記第１の電源切断状態から前記第２の電源切断状態に移行させるまでの時間が表示される表示手段を具備することを特徴とする。
【００１０】
また、本発明の情報記録再生方法は、記録媒体の媒体種別および記録フォーマットを識別し、対応する記録方法および再生方法で前記記録媒体への情報の記録および前記記録媒体からの情報の再生を行う情報記録再生方法であって、電源投入時や前記記録媒体の装着時に装着された前記記録媒体の媒体種別および記録フォーマットの識別を行い、識別した前記記録媒体の媒体種別および記録フォーマットをディスク情報として記憶しておき、記憶した前記ディスク情報に基づいて、前記記録媒体への情報の記録および前記記録媒体からの情報の再生を行い、前記記録媒体への情報の記録および前記記録媒体からの情報の再生が可能な記録再生可能状態で電源の切断の指示が行われると、前記ディスク情報を記憶した状態で、前記記録媒体への情報の書き込みおよび前記記録媒体からの情報の読み出しを行う媒体アクセス手段の電源を切断する第１の電源切断状態に移行させると共に、前記第１の電源切断状態で前記記録媒体への情報の記録もしくは前記記録媒体からの情報の再生が指示されると、前記記録媒体の媒体種別および記録フォーマットの識別を改めて行うことなく、前記記憶した前記ディスク情報を用いて、前記記録再生可能状態に移行することを特徴とする。
【発明の効果】
【００１１】
本発明の情報記録再生装置および情報記録再生方法は、記録再生可能状態で電源切断キーが押下されると、ディスク情報を記憶している状態で媒体アクセス手段の電源を切断する第１の電源切断状態に移行し、第１の電源切断状態で記録キーもしくは再生キーが押下されると、記録媒体の媒体種別および記録フォーマットの識別を改めて行うことなく、ディスク情報記憶手段に記憶されたディスク情報を用いて、記録再生可能状態に移行するように構成することにより、電源切断後、所定時間以内にならば、装着されている記録媒体の識別およびディスク情報の読み取りを行うことなく、電源投入後に情報の記録および再生が可能な状態になるまでの時間を短縮することができるという効果を奏する。
【発明を実施するための最良の形態】
【００１２】
以下、本発明の実施の形態を図面に基づいて詳細に説明する。
【００１３】
（第１の実施の形態）
図１は、本発明に係る情報記録再生装置の第１の実施の形態の構成を示すブロック図である。
【００１４】
本実施の形態は、図１を参照すると、ミニディスク（ＭＤ）１に図示しない入力端子から入力された音声データ（情報）を記録すると共に、ミニディスク１から音声データを読み出し、ヘッドホン２より音声出力するポータブルＭＤプレーヤ等の情報記録再生装置であり、ピックアップ３と、ＲＦアンプ４と、信号処理回路５と、ドライバ回路６と、スピンドルモータ７と、送りモータ８と、システムコントロール用マイクロコンピュータであるシステムコントローラ９と、ショックプルーフメモリ１０と、アンプ回路１１と、電源回路１２と、操作部１３と、表示部１４と、電源１５とで構成されている。
【００１５】
ピックアップ３と、ＲＦアンプ４と、ドライバ回路６と、スピンドルモータ７と、送りモータ８とは、ミニディスク１にアクセスし、ミニディスク１への音声データの書き込みおよびミニディスク１からの音声データの読み出しを行う媒体アクセス手段である。記録および再生時、ミニディスク１は、ドライバ回路６で駆動されるスピンドルモータ７により回転駆動されると共に、ドライバ回路６で駆動される送りモータ８により、ピックアップ３がミニディスク１の半径方向に送られ、ピックアップ３によってミニディスク１への音声データの書き込みおよびミニディスク１からの音声データの読み出しが行われる。ピックアップ３により読み出された音声データは、ＲＦアンプ４において増幅され、信号処理回路５に送られる。
【００１６】
また、ＲＦアンプ４は、ピックアップ３より読み出された音声データより、フォーカス・エラー信号やトラッキング・エラー信号等のサーボ制御信号を生成し、生成したサーボ制御信号と、システムコントロール用マイクロコンピュータ（以下、システムコントローラと称する）９からのコントロール信号により、フォーカス、トラッキングおよびスピンのサーボをかけるように、ドライバ回路６をコントロールし、ドライバ回路６は、ＲＦアンプ４からのコントロール信号により、ピックアップ３、送りモータ８およびスピンドルモータ７を駆動する。
【００１７】
信号処理回路５は、記録時には、図示しない入力端子から入力された音声データを変調してＲＦアンプ４に入力すると共に、再生時には、ＲＦアンプ４で増幅された信号を復調し、さらに誤り訂正等の信号処理を行い、信号処理を行った信号をショックプルーフメモリ１０に順次書き込む。また、信号処理回路５は、メモリ読出手段としてショックプルーフメモリ１０に記憶された音声データを読み出し、所定のフォーマットに従って時間軸伸長して圧縮を解き、ディジタル信号をアナログ変換して、音声信号を生成する。生成された音声信号は、アンプ回路１１を通って、ヘッドホン２より音声出力される。
【００１８】
システムコントローラ９は、ショックプルーフメモリ１０内の音声データが容量一杯になった場合、その後所定時間、ピックアップ３によりミニディスク１から読み出された音声データをショックプルーフメモリ１０に記憶させないように、信号処理回路５を制御し、ショックプルーフメモリ１０に所定量の空き領域が生じると、ピックアップ３を容量が一杯になる前のトラックにジャンプさせ、ピックアップ３によりディスク１から読み出された音声データをショックプルーフメモリ１０へ記憶させるように、信号処理回路５を制御する。この制御により、ショックプルーフメモリ１０内には、常にショックプルーフ用データが確保される。
【００１９】
また、システムコントローラ９は、電源投入時やミニディスク１の装着時に、ディスクフォルダに設けられている開口の有無を検出する図示しないセンサ−からの入力や、ピックアップ３によりミニディスク１に記録されている情報を読み出すことによって、装着されたミニディスク１の媒体種別および記録フォーマットの識別を行い、当該識別結果をディスク情報としてショックプルーフメモリ１０に記憶させ、媒体種別および記録フォーマットの識別結果であるディスク情報に基づいて、ＲＦアンプ４、信号処理回路５およびドライバ回路６を制御することで、ミニディスク１への音声データの記録およびミニディスク１からの音声データの再生を行う。
【００２０】
さらに、システムコントローラ９は、バッテリ等の電源１５から供給される電源の各回路への投入および切断を制御する電源制御手段として機能し、電源回路１２を用いて媒体アクセス手段、すなわちＲＦアンプ４およびドライバ回路６の電源の切断および投入を制御すると共に、信号処理回路５、ショックプルーフメモリ１０および表示部１４の電源の切断および投入を制御する。
【００２１】
操作部１３は、装置本体や本体に接続されたリモコンに設けられており、電源切断を指示する電源切断キーと、ミニディスク１に記録されている情報の再生を指示する再生キーと、ミニディスク１への情報の記録を指示する記録キーとを少なくとも含む複数のキーを備えている。
【００２２】
表示部１４は、装置本体や本体に接続されたリモコンに設けられており、再生している情報（楽曲等）に関する書誌データ（曲名、アーティスト名等）の表示や装置の状態を示す各種案内の表示が行われる液晶ディスプレイ等の表示手段である。
【００２３】
次に、第１の実施の形態の動作について図２および図３を参照して詳細に説明する。
図２は、本発明に係る情報記録再生装置の第１の実施の形態の動作を説明するためのフローチャートである。
【００２４】
システムコントローラ９は、ミニディスク１への情報の記録およびミニディスク１に記録されている情報の再生が可能な状態（以下、記録再生可能状態と称す）において、操作部１３における電源切断キーの押下を監視しており（ステップＡ１）、電源切断キーが押下されると、表示部１４の電源を切断すると共に、電源回路１２を用いて媒体アクセス手段、すなわちＲＦアンプ４およびドライバ回路６の電源を切断させることで、ピックアップ３、スピンドルモータ７および送りモータ８の駆動を停止させ（ステップＡ２）、装置を第１の電源切断状態に移行させる。なお、第１の電源切断状態では、信号処理回路５およびショックプルーフメモリ１０には、電源が投入されている状態であり、ショックプルーフメモリ１０にディスク情報が記憶されている。また、ディスク情報をシステムコントローラ９に記憶しておくように構成し、ステップＡ２においてシステムコントローラ９および信号処理回路５の電源を切断するようにしても良い。
【００２５】
次に、システムコントローラ９は、第１の電源切断状態において、操作部１３における再生キーおよび記録キーの押下（ステップＡ３）と、操作部１３における電源切断キーの押下（ステップＡ４）とを監視していると共に、ステップＡ１で判断した電源切断キーの押下からの経過時間が予め定められた所定時間に達するか否かを監視している（ステップＡ５）。
【００２６】
ステップＡ３において再生キーもしくは記録キーが押下された場合、すなわちステップＡ１で判断した電源切断キーの押下からの経過時間が予め定められた所定時間に達する前に再生キーもしくは記録キーが押下された場合には、システムコントローラ９は、表示部１４の電源を投入すると共に、電源回路１２を用いて媒体アクセス手段、すなわちＲＦアンプ４およびドライバ回路６への電源を投入させ（ステップＡ６）、ピックアップ３、スピンドルモータ７および送りモータ８の駆動を開始させることで、装置を記録再生可能状態に移行させ、ステップＡ１に戻る。なお、第１の電源切断状態から記録再生可能状態に移行させるに際しては、ショックプルーフメモリ１０に記憶されているディスク情報を用いることにより、装着されたミニディスク１の媒体種別および記録フォーマットの識別を行うことなく、記録再生可能状態に移行させるように構成されており、記録再生可能状態になるまでの時間を短縮することができる。
【００２７】
ステップＡ４において電源切断キーの押下された場合と、ステップＡ５においてステップＡ１で判断した電源切断キーの押下からの経過時間が予め定められた所定時間に達した場合には、システムコントローラ９は、信号処理回路５およびショックプルーフメモリ１０の電源を切断すると共に、自身をスリープモードにし（ステップＡ７）、装置を第２の電源切断状態に移行させる。
【００２８】
次に、システムコントローラ９は、第２の電源切断状態において、操作部１３における再生キーおよび記録キーの押下を監視している（ステップＡ８）。ステップＡ８において再生キーおよび記録キーが押下されると、システムコントローラ９は、自身のスリープモードを解除すると共に、信号処理回路５およびショックプルーフメモリ１０の電源を投入し（ステップＡ９）、さらに、表示部１４の電源を投入すると共に、電源回路１２を用いて媒体アクセス手段、すなわちＲＦアンプ４およびドライバ回路６への電源を投入させ（ステップＡ６）、ピックアップ３、スピンドルモータ７および送りモータ８の駆動を開始させることで、装置を記録再生可能状態に移行させ、ステップＡ１に戻る。
【００２９】
以上説明したように、第１の実施の形態によれば、ミニディスク１への情報の記録およびミニディスク１からの情報の再生が可能な記録再生可能状態で電源切断キーが押下されると、ショックプルーフメモリ１０にディスク情報を記憶している状態で媒体アクセス手段（ピックアップ３、ＲＦアンプ４、ドライバ回路６、スピンドルモータ７および送りモータ８）の電源を切断する第１の電源切断状態に移行し、第１の電源切断状態で記録キーもしくは再生キーが押下されると、ミニディスク１の媒体種別および記録フォーマットの識別を改めて行うことなく、ディスク情報記憶手段に記憶されたディスク情報を用いて、記録再生可能状態に移行するように構成することにより、電源切断後、所定時間以内にならば、装着されている記録媒体の識別およびディスク情報の読み取りを行うことなく、電源投入後に情報の記録および再生が可能な状態になるまでの時間を短縮することができると共に、第１の電源切断状態では、媒体アクセス手段の電源が切断されているため、消費電力を大幅に削減することができるという効果を奏する。
【００３０】
（第２の実施の形態）
図３は、本発明に係る情報記録再生装置の第２の実施の形態の動作を説明するためのフローチャートであり、図４は、図１に示す表示部に表示される電源切断操作後の表示例を示す図である。
【００３１】
第２の実施の形態では、表示部１４に第１の電源切断状態から第２の電源切断状態に移行するまで時間を表示するように構成されている。
【００３２】
システムコントローラ９は、ミニディスク１への情報の記録およびミニディスク１に記録されている情報の再生が可能な状態（以下、記録再生可能状態と称す）において、操作部１３における電源切断キーの押下を監視しており（ステップＡ１）、電源切断キーが押下されると、電源回路１２を用いて媒体アクセス手段、すなわちＲＦアンプ４およびドライバ回路６の電源を切断させることで、ピックアップ３、スピンドルモータ７および送りモータ８の駆動を停止させ（ステップＢ１）、装置を第１の電源切断状態に移行させる。なお、第１の電源切断状態では、表示部１４の電源が投入されている状態であると共に、信号処理回路５およびショックプルーフメモリ１０の電源が投入されている状態であり、ショックプルーフメモリ１０には、ディスク情報が記憶されている。
【００３３】
また、システムコントローラ９は、ステップＡ１で電源切断キーが押下されると、表示部１４に第１の電源切断状態から第２の電源切断状態に移行するまで時間を表示させる（ステップＢ２）。
【００３４】
次に、システムコントローラ９は、第１の電源切断状態において、操作部１３における再生キーおよび記録キーの押下（ステップＡ３）と、操作部１３における電源切断キーの押下（ステップＡ４）とを監視していると共に、ステップＡ１で判断した電源切断キーの押下からの経過時間が予め定められた所定時間に達するか否かを監視している（ステップＡ５）。
【００３５】
ステップＡ３において再生キーもしくは記録キーが押下された場合、すなわちステップＡ１で判断した電源切断キーの押下からの経過時間が予め定められた所定時間に達する前に再生キーもしくは記録キーが押下された場合には、システムコントローラ９は、電源回路１２を用いて媒体アクセス手段、すなわちＲＦアンプ４およびドライバ回路６への電源を投入させ（ステップＢ３）、ピックアップ３、スピンドルモータ７および送りモータ８の駆動を開始させることで、装置を記録再生可能状態に移行させ、ステップＡ１に戻る。なお、第１の電源切断状態から記録再生可能状態に移行させるに際しては、ショックプルーフメモリ１０に記憶されているディスク情報を用いることにより、装着されたミニディスク１の媒体種別および記録フォーマットの識別を行うことなく、記録再生可能状態に移行させるように構成されており、記録再生可能状態になるまでの時間を短縮することができる。
【００３６】
ステップＡ４において電源切断キーの押下された場合と、再生キーおよび記録キーが押下されることなく、ステップＡ５においてステップＡ１で判断した電源切断キーの押下からの経過時間が予め定められた所定時間に達した場合には、システムコントローラ９は、信号処理回路５、ショックプルーフメモリ１０および表示部１４の電源を切断すると共に、自身をスリープモードにし（ステップＢ４）、装置を第２の電源切断状態に移行させる。
【００３７】
次に、システムコントローラ９は、第２の電源切断状態において、操作部１３における再生キーおよび記録キーの押下を監視している（ステップＡ８）。ステップＡ８において再生キーおよび記録キーが押下されると、システムコントローラ９は、自身のスリープモードを解除すると共に、信号処理回路５、ショックプルーフメモリ１０および表示部１４の電源を投入し（ステップＢ５）、さらに、電源回路１２を用いて媒体アクセス手段、すなわちＲＦアンプ４およびドライバ回路６への電源を投入させ（ステップＡ６）、ピックアップ３、スピンドルモータ７および送りモータ８の駆動を開始させることで、装置を記録再生可能状態に移行させ、ステップＡ１に戻る。
【００３８】
上述のように、電源切断キー、再生キーおよび記録キーが押下されることなく、ステップＡ５においてステップＡ１で判断した電源切断キーの押下からの経過時間が予め定められた所定時間に達した場合に、第１の電源切断状態から第２の電源切断状態に移行する。従って、ステップＢ２でシステムコントローラ９が表示部１４に表示させる時間は、ステップＡ５の処理に用いられ予め定められた所定時間が１０分である場合には、図４に示すように、電源切断キー押下時には、１０分が表示され、その後カウントダウンされ、１０分経過時に第２の電源切断状態に移行することを通知するメッセージを表示される。なお、ステップＡ１で判断した電源切断キーの押下からの経過時間が予め定められた所定時間に達する前に電源切断キー、再生キーもしくは記録キーが押下された場合には、システムコントローラ９は、表示部１４の時間表示を停止させる。
【００３９】
以上説明したように、第２の実施の形態によれば、表示部１４に第１の電源切断状態から第２の電源切断状態に移行するまで時間を表示させるように構成することにより、ユーザは、電源投入後に情報の記録および再生が可能な状態になるまでの時間が長くかかってしまう第２の電源切断状態に移行されるまでの時間を把握することができるため、ユーザビリティが向上するという効果を奏する。
【００４０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４１】
【図１】本発明に係る情報記録再生装置の第１の実施の形態の構成を示すブロック図である。
【図２】本発明に係る情報記録再生装置の第１の実施の形態の動作を説明するためのフローチャートである。
【図３】本発明に係る情報記録再生装置の第２の実施の形態の動作を説明するためのフローチャートである。
【図４】図１に示す表示部に表示される電源切断操作後の表示例を示す図である。
【符号の説明】
【００４２】
１  ミニディスク
２  ヘッドホン
３  ピックアップ（媒体アクセス手段）
４  ＲＦアンプ（媒体アクセス手段）
５  信号処理回路
６  ドライバ回路（媒体アクセス手段）
７  スピンドルモータ（媒体アクセス手段）
８  送りモータ（媒体アクセス手段）
９  システムコントローラ
１０  ショックプルーフメモリ（ディスク情報記憶手段）
１１  アンプ回路
１２  電源回路
１３  操作部
１４  表示部
１５  電源
【図１】
0004404815.tif 000002
【図２】
0004404815.tif 000003
【図３】
0004404815.tif 000004
【図４】
0004404815.tif 000005